(57)【要約】      （修正有）【課題】瞼裂内に滞留した液体を瞼裂外に効果的に排出する排液器を提供する。【解決手段】瞼裂内に滞留した液体を瞼裂外に排出するための排液器１００であって、眼瞼縁または医療用ドレープに掛止すべく鈎状に曲折して形成されたフック部１０１と、フック部から延設され、フック部により導かれた液体を排出するボディ部１０２と、を備え、ボディ部は、腹部１０３とテール部１０４とを有し、腹部の眼瞼縁側表面と眼瞼縁または医療用ドレープとの隙間を伝わせて、テール部の表面に到達した後に液体を排出し、フック部は、内側に、前記眼瞼縁または医療用ドレープに当接し、瞼裂内の液体または瞼裂内から溢れ出た液体に接触して、液体の流路の始点を形成する当接部１０５を有する。【選択図】図１
2017035413.tif 000002
【特許請求の範囲】
【請求項１】
瞼裂内に滞留した液体を瞼裂外に排出するための排液器であって、
眼瞼縁または医療用ドレープに掛止すべく鈎状に曲折して形成されたフック部と、
前記フック部から延設され、前記フック部により導かれた液体を排出するボディ部と、を備え、
前記ボディ部は、眼瞼縁側表面と前記眼瞼縁または前記医療用ドレープとの隙間を伝わせて、液体を排出し、
前記フック部は、内側に、前記眼瞼縁または前記医療用ドレープに当接し、前記瞼裂内の液体または前記瞼裂内から溢れ出た液体に接触して、該液体の流路を形成する当接部を有する、排液器。
【請求項２】
前記当接部は、前記フック部の水平方向の厚みよりも小さい厚みを有する、請求項１に記載の排液器。
【請求項３】
前記当接部が櫛歯状に形成されている、請求項１または２に記載の排液器。
【請求項４】
前記ボディ部は、前記フック部と同じ水平方向の厚みを有する平板形状に形成されている、請求項１乃至３のいずれか１項に記載の排液器。
【請求項５】
瞼裂内に滞留した液体を瞼裂外に排出するための排液器であって、
眼瞼縁または医療用ドレープに掛止すべく鈎状に曲折して形成されたフック部と、
前記フック部から延設され、前記フック部により導かれた液体を排出するボディ部と、を備え、
前記ボディ部は、眼瞼縁または医療用ドレープに掛止する際に把持するための２つの把持面を備えた、垂直方向に延びる平板形状であって、前記ボディ部の眼瞼縁側表面と前記眼瞼縁または前記医療用ドレープとの隙間を伝わせて前記液体を排出し、
前記フック部は、内側で前記眼瞼縁または前記医療用ドレープに当接し、前記瞼裂内の液体または前記瞼裂内から溢れ出た液体に接触して、該液体の流路を形成する、排液器。
【請求項６】
前記ボディ部は、前記フック部の先端部側にクランク状に曲折して形成されている、請求項１乃至５のいずれか１項に記載の排液器。
【請求項７】
前記クランク状に曲折する部分の幅が前記腹部および前記テール部の幅よりも広く形成されている、請求項６に記載の排液器。
【請求項８】
前記クランク状に曲折する部分が前記当接部と向き合う位置に形成されている請求項６または７に記載の排液器。
【発明の詳細な説明】
【技術分野】
【０００１】
本発明は、瞼裂内に滞留した液体を瞼裂外に排出するための排液器に関する。
【背景技術】
【０００２】
上記技術分野において、特許文献１に示されているように、吸引器を用いることなく簡便に使用でき、また、角膜、結膜等に損傷を与えるおそれなく瞼裂内に滞留した液体を瞼裂外に排出することができる技術が知られている。
【先行技術文献】
【特許文献】
【０００３】
【特許文献１】特許第４８０６７３１号公報
【発明の概要】
【発明が解決しようとする課題】
【０００４】
しかしながら、上記特許文献１に記載の技術では、瞼裂内に滞留した液体を瞼裂外に排出することができるが、液体の排出量として十分な排出量を得ることができなかった。
【０００５】
本発明の目的は、上述の課題を解決する技術を提供することにある。
【課題を解決するための手段】
【０００６】
上記目的を達成するため、本発明に係る排液器は、瞼裂内に滞留した液体を瞼裂外に排出するための排液器であって、
眼瞼縁または医療用ドレープに掛止すべく鈎状に曲折して形成されたフック部と、
前記フック部から延設され、前記フック部により導かれた液体を排出するボディ部と、を備え、
前記ボディ部は、眼瞼縁側表面と前記眼瞼縁または前記医療用ドレープとの隙間を伝わせて、液体を排出し、
前記フック部は、内側に、前記眼瞼縁または前記医療用ドレープに当接し、前記瞼裂内の液体または前記瞼裂内から溢れ出た液体に接触して、該液体の流路を形成する当接部を有する。
【０００７】
上記目的を達成するため、本発明に係る他の排液器は、瞼裂内に滞留した液体を瞼裂外に排出するための排液器であって、
眼瞼縁または医療用ドレープに掛止すべく鈎状に曲折して形成されたフック部と、
前記フック部から延設され、前記フック部により導かれた液体を排出するボディ部と、を備え、
前記ボディ部は、眼瞼縁または医療用ドレープに掛止する際に把持するための２つの把持面を備えた、垂直方向に延びる平板形状であって、前記ボディ部の眼瞼縁側表面と前記眼瞼縁または前記医療用ドレープとの隙間を伝わせて前記液体を排出し、
前記フック部は、内側で前記眼瞼縁または前記医療用ドレープに当接し、前記瞼裂内の液体または前記瞼裂内から溢れ出た液体に接触して、該液体の流路を形成する。
【発明の効果】
【０００８】
本発明によれば、瞼裂内に滞留した液体を瞼裂外に効果的に排出することができる。
【図面の簡単な説明】
【０００９】
【図１】本発明の第１実施形態に係る排液器の構成を説明するための斜視図である。
【図２】本発明の第１実施形態に係る排液器の使用状態の一例を説明するための図である。
【図３】本発明の第１実施形態に係る排液器の使用状態の他の例を説明するための図である。
【図４】本発明の第１実施形態に係る排液器の使用状態を説明するための平面図である。
【図５】本発明の第１実施形態に係る排液器の使用状態を説明するための斜視図である。
【図６】本発明の第１実施形態に係る排液器の側面図である。
【図７】図７におけるＡ−Ａ断面図である。
【図８】本発明の第２実施形態に係る排液器の構成を説明するための斜視図である。
【図９】本発明の第２実施形態に係る排液器の使用状態の一例を説明するための図である。
【図１０】本発明の第２実施形態に係る排液器の側面図である。
【図１１】図１０におけるＢ−Ｂ断面図である。
【図１２】本発明の第３実施形態に係る排液器の構成を説明するための斜視図である。
【図１３】本発明の第３実施形態に係る排液器の使用状態の一例を説明するための図である。
【図１４】本発明の第４実施形態に係る排液器の構成を説明するための斜視図である。
【図１５】本発明の第４実施形態に係る排液器の使用状態の一例を説明するための図である。
【図１６】本発明の第５実施形態に係る排液器の構成を説明するための斜視図である。
【図１７】本発明の第６実施形態に係る排液器の構成を説明するための斜視図である。
【図１８】本発明の第７実施形態に係る排液器の構成を説明するための斜視図である。
【図１９】本発明の第８実施形態に係る排液器の構成を説明するための斜視図である。
【図２０】本発明の第９実施形態に係る排液器の構成を説明するための斜視図である。
【発明を実施するための形態】
【００１０】
以下に、本発明の例示的な実施形態について、図面を参照して、以下に詳しく説明を記載する。ただし、以下の実施の形態に記載されている、構成、数値、処理の流れ、および機能要素などはあくまで一例であり、本発明の技術範囲をそれらの記載のみに限定する趣旨のものではない。
【００１１】
［第１実施形態］
《排液器の構造》
本発明の第１実施形態としての排液器１００について、図１を用いて説明する。図１は本実施形態に係る排液器１００の構成を説明するための斜視図である。排液器１００は、瞼裂内に滞留した液体を瞼裂外に排出するために用いられる器具である。
【００１２】
図１に示すように、排液器１００は、フック部１０１とボディ部１０２とを備えている。フック部１０１は、先端がへら状に形成されていると共に、眼瞼縁または医療用ドレープに掛止すべく鈎状に曲折して形成されている。フック部１０１は、内側に、眼瞼縁または医療用ドレープに当接し、瞼裂内の液体または瞼裂内から溢れ出た液体に接触して、この液体の流路の始点を形成する当接部１０５を有する。また、当接部１０５は薄い板状あるいは薄膜状に形成されている。
【００１３】
ボディ部１０２は、フック部１０１から延設され、フック部１０１により導かれた液体を排出する。
【００１４】
さらに、ボディ部１０２は、腹部１０３とテール部１０４とを有し、当接部１０５によって誘導された液体を、腹部１０３の眼瞼縁側表面と眼瞼縁または医療用ドレープとの隙間を伝わせて、テール部１０４の表面に到達した後に瞼裂外に排出する。
【００１５】
さらに、腹部１０３からテール部１０４にかかる部分１０６はクランク状に曲折して形成されている。
【００１６】
本実施形態によれば、排液器１００は、掛止されたフック部１０１の当接部１０５に接触した液体を、ボディ部１０２に伝わせて排出する。したがって、吸引器を用いることなく簡便に使用でき、かつ、液体を容易にかつ十分に排出することが可能である。
【００１７】
《排液器の使用状態》
排液器１００の使用状態について、図２乃至図５を用いて説明する。
【００１８】
図２は、本実施形態に係る排液器１００の使用状態の一例を説明するための図であり、排液器１００を設置した瞼裂およびその周辺部分を、目頭と目尻を通る平面で切断した断面図である。
【００１９】
図２に示すように、排液器１００は、眼球２３０と眼瞼縁２３３との間の、目尻側の結膜嚢２３４に引っ掛けるように設置される。排液器１００は、フック部１０１と、ボディ部１０２とを備える。医療用ドレープ２４０は、滅菌のために眼瞼縁２３３および不図示の睫毛を包みこむシート状の布であり、眼球部分には穴が設けられている。図２では、フック部１０１とボディ部１０２とが眼瞼縁２３３および医療用ドレープ２４０を挟み込む形で、排液器１００が設置されている。また、排液器１００のフック部１０１は、結膜嚢２３４に嵌め込むように設置される。なお、液体２５０ａは点眼液であり、液体２５０ｂは、点眼液、生理食塩水、人工房水、あるいは涙などである。
【００２０】
排液器１００は、瞼裂内に滞留した液体２５０ｂが結膜嚢２３４に差し込まれたフック部１０１に触れると、フック部１０１の当接部１０５を伝ってボディ部１０２に導かれる。これにより、液体２５０ｂはボディ部１０２の腹部１０３からテール部１０４を伝わせて瞼裂外に排出される。
【００２１】
このように、当接部１０５を設けることにより、毛細管現象を生じやすくなり、液体２５０ｂの排出を容易にする。なお、当接部１０５は、フック部１０１の厚みよりも小さい厚みを有することが好ましい。当接部１０５をフック部１０１の厚みよりも小さい厚みとすることにより、毛細管現象をより生じやすくなり、液体２５０ｂの排出を容易にする。また、フック部１０１の先端部分は、ボディ部１０２の最太部より細く形成されていることが望ましい。
【００２２】
フック部１０１とボディ部１０２との境界に位置する首部１０１ａは、眼瞼縁２３３に設置した際に、手術器具等が接触するのを回避するために、アール１０１ｂを有するように弯曲して形成されている。
【００２３】
図３は、本実施形態に係る排液器１００の使用状態の他の例を説明するための図であり、排液器を設置した瞼裂およびその周辺部分を、目頭と目尻を通る平面で切断した断面図である。
【００２４】
図３では、フック部１０１が医療用ドレープ２４０に掛止されて、排液器１００が設置されている。排液器１００は、患者の眼瞼縁２３３に設置することが困難な場合に、このように、医療用ドレープ２４０に掛止して使用する。フック部１０１は、目頭と目尻とを通る線上であって、眼瞼縁２３３と直接触れない位置に載置された医療用ドレープ２４０に引っ掛けるように設置される。フック部１０１は、瞼裂内に滞留した液体２５０ｂの液面が先端部分に達すると、フック部１０１および医療用ドレープ２４０の間に生じる毛細管現象により、フック部１０１が液体２５０ｂを吸い上げるようにボディ部１０２に導き、テール部１０４から排出する。
【００２５】
図４は、排液器１００の使用状態を説明するための平面図である。
【００２６】
図４に示すように、開瞼器４１０を用いて、上眼瞼および下眼瞼を上下に開いた状態で手術を行なう。この状態で、生理食塩水などの液体を絶えず眼球上に点眼しながら手術が行なわれる。また、眼内手術の場合には、眼内圧を維持するために粘性の高い人工房水を注入することがあるが、そのような液体も、瞼裂内の角膜または結膜周辺部に滞留する。
【００２７】
そうして滞留した液体２５０ｂは、術野の清明性を乱し、施術を困難にすることがある。特に、眼瞼幅が狭く、いわゆる奥目と呼ばれる眼であれば、このような液体の滞留が顕著になり、施術の妨げとなってしまう。そこで、排液器１００を目尻側に設置し、瞼裂内の液体を排出することで、術野の清明性を確保することが可能となる。
【００２８】
排液器１００の設置位置は、目頭と目尻とを通る線上の位置に限定されるものではなく、眼瞼縁２３３の目尻周辺であって、排液器１００を掛止可能な位置であればよい。排液器１００は、目頭と目尻とを通る線から、眼瞼縁２３３に沿って額側に移動した位置に設置されてもよい。また、排液器１００は、眼瞼縁２３３に沿って頬側に移動した位置に設置されてもよい。排液器１００の設置位置は、これらの位置に限定されるものではなく、液体２５０ｂを瞼裂外に排出することが可能な位置であればよい。
【００２９】
図５は、排液器１００の使用状態を説明するための斜視図である。
【００３０】
図５に示すように、施術者は、排液器１００のフック部１０１の先端部分を、目頭と目尻とを通る線上に位置する眼瞼縁２３３の結膜嚢に差し込んで設置する。
【００３１】
排液器１００のテール部１０４を、眼瞼縁２３３に設置された腹部１０３の位置より、耳側に下がった位置に保つことで、眼瞼縁２３３からスムーズに液体２５０ｂを排出することができる。
【００３２】
《排液器の形状》
図６は、排液器１００の側面図である。排液器１００は、側面から見ると、全体としてクエスチョンマークに似た形状を有する。そして、フック部１０１の先端部分は首部１０１ａを介してボディ部１０２の腹部１０３に接続され、フック部１０１の先端部分はボディ部１０２の腹部１０３にほぼ平行に伸ばして形成されている。また、排液器１００の腹部１０３からテール部１０４にかかる部分は、クランク状に曲折して形成され、このクランク状に曲折した部分１０６はボディ部１０２の最太部をなし、テール部１０４は最後尾に向かって先細の形状に形成されている。また、クランク状に曲折した部分１０６は、首部１０１ａおよび当接部１０５に向き合うような位置となるように形成され、クランク状に曲折した部分１０６の幅は、腹部１０３およびテール部１０４の幅よりも広く形成されている。さらに、フック部１０１およびボディ部１０２は同じ厚みを有する平板状に形成されている。
【００３３】
図７は図６におけるＡ−Ａ断面図である。図７では、フック部１０１とボディ部１０２と接続する首部１０１ａの内側を見ている。このように首部１０１ａの内側には当接部１０５が形成され、当接部１０５の厚みは首部１０１ａの厚みよりも小さい厚みを有する。
【００３４】
排液器１００は、金属、樹脂、紙などで成型されてもよい。本実施形態に係る排液器１００によれば、瞼裂内に滞留する液体を、眼瞼縁または医療用ドレープに掛止して設置されたフック部１０１の先端部分より当接部１０５に沿ってボディ部１０２へ導き、ボディ部１０２を伝わせて排出する。したがって、本実施形態に係る排液器１００は、角膜および結膜等に損傷を与えるおそれがなく、瞼裂内に滞留した液体２５０ｂを瞼裂外に十分に排出することができる。
【００３５】
［第２実施形態］
次に本発明の第２実施形態に係る排液器について、図８乃至図１１を用いて説明する。図８は、本実施形態に係る排液器８００の構成を説明するための斜視図である。本実施形態に係る排液器８００は、上記第１実施形態と比べると、ボディ部１０２の背側に把持部８０１を有する点で異なる。その他の構成および動作は、第１実施形態と同様であるため、同じ構成および動作については同じ符号を付してその詳しい説明を省略する。
【００３６】
《排液器の構造》
本実施形態に係る排液器８００はボディ部１０２の背側に腹部１０３からテール部１０４にかけて板状の把持部８０１を備えている。把持部８０１の厚みは腹部１０３およびテール部１０４の厚みよりも小さい厚みを有している。
【００３７】
《排液器の使用状態》
排液器８００の使用状態について図９を用いて説明する。
【００３８】
図９は、本実施形態に係る排液器８００の使用状態の一例を説明するための図であり、排液器８００を設置した瞼裂およびその周辺部分を、目頭と目尻を通る平面で切断した断面図である。
【００３９】
排液器８００は、結膜嚢２３４に差し込まれたフック部１０１が瞼裂内に滞留した液体２５０ｂに触れると、液体２５０ｂはフック部１０１および当接部１０５を伝ってボディ部１０２に導かれる。これにより、液体２５０ｂは、ボディ部１０２の腹部１０３からテール部１０４を伝わって瞼裂外に排出される。
【００４０】
《排液器の形状》
図１０は、排液器８００の側面図である。第１実施形態と異なる点は、腹部１０３からテール部１０４にかかるボディ部１０２の最太部からテール部１０４にかけて、その背側に板状の把持部８０１が形成されている点である。把持部８０１の周縁部はアールを有するように弯曲した形状をなしている。
【００４１】
図１１は、図１０におけるＢ−Ｂ断面図である。図１１に示すように、把持部８０１の厚みは腹部１０３およびテール部１０４の厚みよりも小さい厚みを有している。
【００４２】
したがって、本実施形態に係る排液器８００を用いても第１実施形態と同様の効果を得ることができる。さらに、本実施形態の排液器８００はボディ部１０２の背側に把持部８０１を有しているので、第１実施形態に係る排液器１００に比べて排液器８００を把持しやすくなり、取り扱いが容易である。
【００４３】
［第３実施形態］
次に本発明の第３実施形態に係る排液器について、図１２および図１３を用いて説明する。図１２は、本実施形態に係る排液器の構成を説明するための斜視図である。本実施形態に係る排液器１２００は、上記第１実施形態と比べると、フック部１０１の先端部にボディ部１０２側に突出した突部１２０１を有する点で異なる。その他の構成および動作は、第１実施形態と同様であるため、同じ構成および動作については同じ符号を付してその詳しい説明を省略する。
【００４４】
《排液器の構造》
本実施形態に係る排液器１２００はフック部１０１の先端部にボディ部１０２側に突出した突部１２０１を有する。さらに、突部１２０１の先端は丸みをおびた状態に形成されている。
【００４５】
《排液器の使用状態》
排液器１２００の使用状態について図１３を用いて説明する。
【００４６】
図１３は、本実施形態に係る排液器１２００の使用状態の一例を説明するための図であり、排液器１２００を設置した瞼裂およびその周辺部分を、目頭と目尻を通る平面で切断した断面図である。
【００４７】
排液器１２００は、結膜嚢２３４に差し込まれたフック部１０１が瞼裂内に滞留した液体２５０ｂに触れると、液体２５０ｂはフック部１０１および当接部１０５を伝ってボディ部１０２に導かれる。これにより、液体２５０ｂは、ボディ部１０２の腹部１０３からテール部１０４を伝わって瞼裂外に排出される。また、フック部１０１の先端部に、ボディ部１０２の腹部１０３側に突出した突部１２０１が形成されているので、排液器１２００を眼瞼縁２３３に設置した際、突部１２０１が、眼瞼縁２３３または結膜嚢２３４に引っかかる。このため、フック部１０１が眼瞼縁２３３または結膜嚢２３４から外れにくくなっている。したがって、本実施形態に係る排液器１２００は、第１実施形態と同様の効果を得ることができると共に、手術中に生じる振動などにより排液器１２００が眼瞼縁２３３から外れることを回避できる。
【００４８】
［第４実施形態］
次に本発明の第４実施形態に係る排液器について、図１４および図１５を用いて説明する。図１４は、本実施形態に係る排液器１４００の構成を説明するための斜視図である。本実施形態に係る排液器１４００は、上記第３実施形態と比べると、把持部８０１を有する点で異なる。その他の構成および動作は、第１乃至第３実施形態と同様であるため、同じ構成および動作については同じ符号を付してその詳しい説明を省略する。
【００４９】
《排液器の使用状態》
排液器１４００の使用状態について図１５を用いて説明する。
【００５０】
図１５は、本実施形態に係る排液器１４００の使用状態の一例を説明するための図であり、排液器１４００を設置した瞼裂およびその周辺部分を、目頭と目尻を通る平面で切断した断面図である。
【００５１】
排液器１４００は、結膜嚢２３４に差し込まれたフック部１０１が瞼裂内に滞留した液体２５０ｂに触れると、液体２５０ｂはフック部１０１および当接部１０５を伝ってボディ部１０２に導かれる。これにより、液体２５０ｂは、ボディ部１０２の腹部１０３からテール部１０４を伝わって瞼裂外に排出される。
【００５２】
また、フック部１０１の先端部に、ボディ部１０２の腹部１０３側に突出した突部１２０１が形成されているので、排液器１４００を眼瞼縁２３３に設置した際、突部１２０１が、眼瞼縁２３３または結膜嚢２３４に引っかかる。このため、フック部１０１が眼瞼縁２３３または結膜嚢２３４から外れにくくなっている。したがって、本実施形態に係る排液器１４００は、第１実施形態と同様の効果を得ることができると共に、手術中に生じる振動などにより排液器１４００が眼瞼縁２３３から外れることを回避できる。
【００５３】
さらに、排液器１４００はボディ部１０２の背側に把持部８０１を有しているので、第３実施形態に係る排液器１２００に比べて排液器１４００を把持しやすくなり、取り扱いが容易である。
【００５４】
［第５実施形態］
次に本発明の第５実施形態に係る排液器について、図１６を用いて説明する。図１６は、本実施形態に係る排液器１６００の構成を説明するための斜視図である。本実施形態に係る排液器１６００は、上記第１実施形態と比べると、フック部１０１の先端に幅が徐々に広くなるへら状の先端部１６０１を有する点で異なる。その他の構成および動作は、第１実施形態と同様であるため、同じ構成および動作については同じ符号を付してその詳しい説明を省略する。
【００５５】
排液器１６００において、フック部１０１の先端部１６０１は、その幅が徐々に広くなるへら状に形成されているので、設置された眼瞼縁に接する面積が増え、排液器１６００を眼瞼縁に対してより安定的に設置することができる。また、フック部１０１の先端部１６０１が徐々に幅広になるへら状に形成されているので、液体２５０ｂと接する面積が増え、液体２５０ｂの流路をより広範囲に確保することができ、より多量の液体２５０ｂをボディ部１０２に導くことができる。
【００５６】
［第６実施形態］
次に本発明の第６実施形態に係る排液器について、図１７を用いて説明する。図１７は、本実施形態に係る排液器の構成を説明するための斜視図である。本実施形態に係る排液器１７００は、上記第５実施形態と比べると、把持部８０１を有する点で異なる。その他の構成および動作は、第１、第２および第５実施形態と同様であるため、同じ構成および動作については同じ符号を付してその詳しい説明を省略する。
【００５７】
本実施形態によれば、第５実施形態と同様の効果を得ることができると共に、排液器１７００はボディ部１０２の背側に把持部８０１を有しているので、第５実施形態の排液器１６００よりも排液器１７００を把持しやすくなり、取り扱いが容易である。
【００５８】
［第７実施形態］
次に本発明の第７実施形態に係る排液器について、図１８を用いて説明する。図１８は本実施形態に係る排液器の構成を説明するための斜視図である。本実施形態に係る排液器１８００は、上記第１実施形態と比べると、櫛歯状に形成された当接部１８０５を有する点で異なる。その他の構成および動作は、第１実施形態と同様であるため、同じ構成および動作については同じ符号を付してその詳しい説明を省略する。
【００５９】
本実施形態によれば、当接部１８０５が櫛歯状に形成されているので、第１実施形態における当接部１０５よりもさらに毛細管現象を生じやすくなり、フック部１０１からボディ部１０２へ液体２５０ｂを流しやすくする。これにより、第１乃至第６実施形態の排液器に比べて、より多量の液体２５０ｂをボディ部１０２に導くことができる。
【００６０】
［第８実施形態］
次に本発明の第８実施形態に係る排液器について、図１９を用いて説明する。図１９は、本実施形態に係る排液器の構成を説明するための斜視図である。本実施形態に係る排液器１９００は、上記第７実施形態と比べると、把持部８０１を有する点で異なる。その他の構成および動作は、第１、第２および第７実施形態と同様であるため、同じ構成および動作については同じ符号を付してその詳しい説明を省略する。
【００６１】
本実施形態によれば、第７実施形態と同様の効果を得ることができると共に、排液器１９００はボディ部１０２の背側に把持部８０１を有しているので、第７実施形態の排液器１８００よりも排液器１９００を把持しやすくなり、取り扱いが容易である。
【００６２】
［第９実施形態］
次に本発明の第９実施形態に係る排液器について、図２０を用いて説明する。図２０は本実施形態に係る排液器の構成を説明するための斜視図である。本実施形態に係る排液器２０００は、上記第１実施形態と比べると、棒状の当接部２００５を有する点で異なる。その他の構成および動作は、第１実施形態と同様であるため、同じ構成および動作については同じ符号を付してその詳しい説明を省略する。
【００６３】
本実施形態によれば、当接部２００５が棒状に形成され、空隙２００６を備えているので、第１実施形態における当接部１０５よりもさらに毛細管現象を生じやすくなり、フック部１０１からボディ部１０２へ液体２５０ｂを流しやすくする。これにより、第１乃至第６実施形態の排液器に比べて、より多量の液体２５０ｂをボディ部１０２に導くことができる。
【００６４】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。
【図１】
2017035413.tif 000003
【図２】
2017035413.tif 000004
【図３】
2017035413.tif 000005
【図４】
2017035413.tif 000006
【図５】
2017035413.tif 000007
【図６】
2017035413.tif 000008
【図７】
2017035413.tif 000009
【図８】
2017035413.tif 000010
【図９】
2017035413.tif 000011
【図１０】
2017035413.tif 000012
【図１１】
2017035413.tif 000013
【図１２】
2017035413.tif 000014
【図１３】
2017035413.tif 000015
【図１４】
2017035413.tif 000016
【図１５】
2017035413.tif 000017
【図１６】
2017035413.tif 000018
【図１７】
2017035413.tif 000019
【図１８】
2017035413.tif 000020
【図１９】
2017035413.tif 000021
【図２０】
2017035413.tif 000022